(57)【要約】【課題】システムに何らかの異常を来した場合に、遠隔地にいる管理者が電源装置および負荷に対する処置対応を迅速に行なう。【解決手段】ＵＰＳ３Ａ〜３Ｃに異常が発生すると、異常監視手段２４は異常個所を特定する異常情報を携帯電話１５に向けて送信する。これにより管理者は、システム本体９内外のどの箇所で異常が発生しており、どのような処置を施すべきかを即座に判断できる。また、管理者が携帯電話１５を利用して必要な指令データを送信すると、動作制御手段２４はＵＰＳ３Ａ〜３Ｃのみならずそれに従属するユーザ機器４Ａ〜４Ｄに対する動作を制御する。【選択図】  図１
2004254459.tif 000002
【特許請求の範囲】
【請求項１】
電源装置とこの電源装置からの電力供給を受ける負荷とを組み合わせた電源ユニット群をネットワーク接続して構成され、前記ネットワークを用いて前記電源装置の状態監視を行なう管理手段を備えた電源ネットワークシステムにおいて、
前記管理手段は、前記電源装置に異常が発生すると、異常個所を特定する異常情報を通信手段を介して予め決められた移動体携帯端末に送信する異常監視手段と、前記移動体携帯端末から送られる指令データを受信すると、その指令データの手順に従って前記電源装置および前記負荷の動作を制御する動作制御手段とを備えたものであることを特徴とする電源ネットワークシステム。
【発明の詳細な説明】
【０００１】
【発明の属する技術分野】
本発明は、Ｕｎｉｎｔｅｒｒｕｐｔｉｂｌｅ  Ｐｏｗｅｒ  Ｓｕｐｐｌｙ（無停電電源装置：以下、ＵＰＳという）などの電源装置と、これに従属する負荷とからなる電源ユニット群をネットワーク接続してなる電源ネットワークシステムに関し、特にの遠隔管理システムに関する。
【０００２】
【従来の技術】
図９は、従来のＵＰＳネットワークシステムの概略構成を示すものである。同図において、１は例えば単相１００Ｖの商用電源、３Ａ〜３Ｃは共通の商用電源１からの入力電圧の供給を受ける例えば３台のＵＰＳであり、このＵＰＳ３Ａ〜３Ｃは周知のように、商用電源１の正常時には、電源ライン２を経由して供給される入力電圧を、主回路から従属する例えばＰＣ（パーソナルコンピュータ）やサーバなどのユーザ機器４Ａ〜４Ｄに供給し、且つ内蔵するバッテリなどの充電器（図示せず）を定電流で充電する一方、商用電源１の停電または低下時には、充電器の充電電圧をインバータにより交流電圧に変換して、ユーザ機器４Ａ〜４Ｄに供給するものである。そしてこの例では、ＵＰＳ３Ａに従属し、このＵＰＳ３Ａとの間に通信ケーブル５を接続したユーザ機器４Ａと、ＵＰＳ３Ｂに従属し、このＵＰＳ３Ｂとの間に別の通信ケーブル５を接続したユーザ機器４Ｃと、ＵＰＳ３Ｃ自身が、例えばローカルエリアネットワーク（以下、ＬＡＮという）もしくはワイドエリアネットワーク（以下、ＷＡＮという）などのネットワーク６で相互に接続される。すなわち、ＵＰＳ３Ａとユーザ機器４Ａ，４Ｂを組み合わせた第１の電源ユニット群と、ＵＰＳ３Ｂとユーザ機器４Ｃを組み合わせた第２の電源ユニット群と、ＵＰＳ３Ｃとユーザ機器４Ｄを組み合わせた第３の電源ユニット群を、ネットワーク６で接続した電源すなわちＵＰＳネットワークを構築している。
【０００３】
一方、上記複数のＵＰＳ３Ａ〜３Ｃを一括に監視制御するために、例えばＰＣであるユーザ機器４Ｃには、ソフトウェア上の機能構成としてＵＰＳ統合管理手段７を備えている。ユーザ機器４Ｃは、通信ケーブル５を介して自身が電力供給を受けるＵＰＳ３Ｂの状態監視と制御を行なうと同時に、ネットワーク６に接続される別のユーザ機器４ＡやＵＰＳ３Ｃを通して、ＵＰＳ３ＡやＵＰＳ３Ｃの状態監視と制御を集中的に行なう。ここでいうＵＰＳ統合管理手段７の状態監視や制御とは、例えば、設定時間以上に停電が続いた場合に、ユーザ機器４Ａ〜４Ｄのシャットダウンを自動的に実施する自動シャットダウン機能や、一つの例えばＵＰＳ３Ａに負荷であるユーザ機器４Ａ，４Ｂが複数接続されているときに、電源の投入やシャットダウンの順番を設定制御する負荷セグメント制御機能や、ＵＰＳ３Ａ〜３Ｃから取得される停電や復電などの各種イベント情報、および入力電圧や周波数などの計測値の履歴を記録するログ機能などである。
【０００４】
こうした従来の集中管理システムでは、例えば特定のＵＰＳ３Ａに何らかの異常が発生すると、通信ケーブル５，ユーザ機器４Ａおよびネットワーク６を介して、異常が発生した旨の通知がＵＰＳ統合管理手段７を備えたユーザ機器４Ｃに伝えられるが、このユーザ機器４Ｃ若しくはシステムの管理者が不在の場合、システム内で異常が発生しても全く対処が行えない。また、ユーザ機器４Ａ〜４ＤのいずれかがＵＰＳ３Ａ〜３Ｃに接続される重要なサーバである場合、こうしたサーバに対する電源異常の発生に備えて、保守要員を終日待機させておくことは、膨大な労力とコストが掛かる。
【０００５】
上記問題に対処するために、例えば特許文献１では、対応する電力設備（ＵＰＳ３Ａ〜３Ｃに相当する）に関して、監視項目に異常が発生した場合に、その監視項目にどのような異常が発生したのかなどの異常発生内容を含んだ異常情報を、パケット通信網およびルータを介して遠隔監視センタに送信し、これを受けた遠隔監視センタが、保安者データベースを参照して、当該電力設備に関わる保安者を選定し、この保安者が所持する携帯端末宛てに異常発生を報知するメッセージをパケット送信する遠隔監視装置が開示されている。
【０００６】
【特許文献１】
特開２００２−２４９７３号公報
【０００７】
【発明が解決しようとする課題】
上記特許文献１において、仮に電力設備の異常情報を対応可能な管理者の保有する携帯端末宛てに通知したとしても、実際に電力設備のどの箇所で異常が発生したかの情報が含まれなければ、通知を受け取った管理者は原因の特定が瞬時に行なえず、またその異常に対する対処も遠隔地から行なうことができない。そのため、結局は異常の発生した電力設備に出向いてしかるべき対処を行わなければならず、異常の対処に時間が掛かり、電力設備の異常による被害が拡大する虞れがあり、また復旧に時間が掛かることとなる。
【０００８】
また、例えばＵｎｉｘ（登録商標）サーバをユーザ機器４Ａ〜４Ｄとして使用する場合には、正しい手順で電源オフを行なった上で電力設備を復旧させないと、オペレーティングシステム（ＯＳ）の破損を招き、再インストール等の余計な作業が必要になる。すなわち、異常情報を受け取った管理者は、遠隔地において電源装置に相当するＵＰＳ３Ａ〜３Ｃのみならず、それに従属する負荷（ユーザ機器４Ａ〜４Ｄ）の迅速な異常対処を要求される。
【０００９】
本発明は上記問題点に鑑み、システムに何らかの異常を来した場合に、遠隔地にいる管理者が電源装置および負荷に対する処置対応を迅速に行なうことができる電源ネットワークシステムを提供することを第１の目的とする。
【００１０】
【課題を解決するための手段】
本発明における電源ネットワークは、上記目的を達成するために、電源装置とこの電源装置からの電力供給を受ける負荷とを組み合わせた電源ユニット群をネットワーク接続して構成され、前記ネットワークを用いて前記電源装置の状態監視を行なう管理手段を備えた電源ネットワークシステムにおいて、前記管理手段は、前記電源装置に異常が発生すると、異常個所を特定する異常情報を通信手段を介して予め決められた移動体携帯端末に送信する異常監視手段と、前記移動体携帯端末から送られる指令データを受信すると、その指令データの手順に従って前記電源装置および前記負荷の動作を制御する動作制御手段とを備えて構成される。
【００１１】
上記構成により、何らかの原因で電源装置に異常が発生すると、異常監視手段は異常個所を特定する異常情報を、予め決められた移動体携帯端末に向けて直ちに送信する。移動体携帯端末を所持する管理者は、受信した異常情報からシステム本体内外のどの箇所で異常が発生しており、それに対してどのような処置を施すべきかを即座に判断できる。また、管理者が移動体携帯端末を利用して必要な指令データを送信すると、動作制御手段は電源装置のみならずそれに従属する負荷に対する動作を制御することができる。したがって、管理者が遠隔地にいた場合でも、電源装置および負荷に対する処置対応を迅速に行なうことができる。
【００１２】
【発明の実施形態】
以下、本発明の電源ネットワークシステムについて、添付図面を参照して詳細に説明する。なお、図９に示す従来例と構成が重複するものについては同一の符号を付し、その説明を省略する。
【００１３】
先ず、電源ネットワークシステムに接続する遠隔管理装置を含めた全体構成を図１に基づき説明すると、システム本体９は後述する通信手段であるＩＰ網１２を利用して外部との双方向通信が行なえるように、特定のＵＰＳ３Ｃに例えばＩＰ（Ｉｎｔｅｒｎｅｔ  Ｐｒｏｔｏｃｏｌ）アダプタを備えた通信ユニット１１を設けて構成される。通信ユニット１１はＩＰ網１２に接続されており、このＩＰ網１２のデータセンタ１３を経由して、当該ＩＰ網１２に接続する他の通信機器との間でパケット通信が行なえるようになっている。一方、１４はデータセンタ１３との間でパケットデータをやり取りする携帯基地局で、この携帯基地局１４のエリア内には幾つかの移動体携帯端末としての携帯電話１５が存在する。図１は、システム本体９の管理者が保有する携帯電話１５が、ある携帯基地局１４のエリア内に存在する状態を示している。
【００１４】
前記ＵＰＳ統合管理手段７は、各ＵＰＳ３Ａ〜３Ｃの状態を監視した結果、何らかの異常を発見した場合には、その異常箇所を特定する異常情報を、通信ユニット１１からＩＰ網１２のデータセンタ１３を通じて、最寄の携帯基地局１４に存在する予め決められた携帯電話１５に送出する機能を備えていると共に、携帯電話１５の操作部１６から入力された指令データが、ＩＰ網１２のデータセンタ１３から通信ユニット１１を通じて送られてくると、その指令データに基づき特定のＵＰＳ３Ａ〜３Ｃまたはユーザ機器４Ａ〜４Ｄに対する制御を実行する機能を備えている。
【００１５】
なお本実施例では、ＩＰ網１２や携帯電話１５に関わる通信事業者独自のネットワークであるキャリア網を利用して、システム本体９と携帯電話１５との間を、すべてパケットデータで通信できるようにしているが、例えば一般公衆回線網などを利用してもよい。具体的には、図１の通信ユニット１１として、ＵＰＳ統合管理手段７を備えたユーザ機器（ＰＣ）４Ｃの内蔵モデムを利用した場合、ダイヤルアップ接続先に一般公衆回線網を利用してもよい。このように、通信ユニット１１はＵＰＳ３Ａ〜３Ｃ若しくはユーザ機器４Ａ〜４Ｄのいずれか一つに組み込まれてもよいし、またネットワーク６に接続したルータを利用してもよい。さらに、ＵＰＳ統合管理手段７について、どのＵＰＳ３Ａ〜３Ｃ若しくはユーザ機器４Ａ〜４Ｄに組み込まれていてもよい。本実施例では、外部からの指令データに従って、システム本体９内にある全てのＵＰＳ３Ａ〜３Ｃ若しくはユーザ機器４Ａ〜４Ｄに対する動作を制御できるように、第１〜第３の電源ユニット群をネットワーク６で相互に接続すると共に、同一電源ユニット群内におけるＵＰＳ３Ａ〜３Ｃとユーザ機器４Ａ〜４Ｄ間を、それぞれシリアルケーブルなどの通信ケーブル５で接続している。
【００１６】
続いて、システム本体９および携帯電話１５の内部構成について説明する。まず図２は、システム本体９内の機能構成を示すもので、７は管理手段に相当する前述のＵＰＳ統合管理手段であり、これはＵＰＳ３Ａ〜３Ｃの各部の状態を監視し、何れか一つのＵＰＳ３Ａ〜３Ｃに異常が発生したときには、そのときのユーザ機器４Ａ〜４Ｄの状況を検出すると共に、ＵＰＳ３Ａ〜３Ｃの動作制御や、ユーザ機器４Ａ〜４Ｄの動作制御を遠隔地からでも行えるようにするものである。このＵＰＳ統合管理手段７は、ＵＰＳ３Ａ〜３Ｃの各部の状態（電流，電圧）を常時監視し、何らかの異常が発生した場合には、少なくともシステム本体９内の異常個所を特定する情報を含んだ異常情報を作成する異常監視手段２０を備えている。ここでの異常監視手段２０は、ハードディス等の記録手段に、管理履歴や各種データベースを記録および保管させる機能も備えている。また２１は、この異常情報を送出するに際し、ＩＰ網１２のプロトコルに適合するパケットデータに変換するためのデータ変換手段で、バイナリフォーマットをテキストフォーマットに変換するものである。２２はＳＳＬ（Ｓｅｃｕｒｅ  Ｓｏｃｋｅｔｓ  Ｌａｙｅｒ）暗号化手段で、これはテキストフォーマットに変換されたパケットデータを第３者が安易に確認することができないように暗号化するもので、この暗号化された異常情報を含むデータは、前記通信ユニット１１を介してＩＰ網１２に送出されるようになっている。
【００１７】
一方、２４は通信ユニット１１からの暗号化された指令データを解読すると共に、この指令データを受けて異常状態に対する必要な処置を行なうために、所定の手順に従ってＵＰＳ３Ａ〜３Ｃ若しくはユーザ機器４Ａ〜４Ｄの動作制御を行なう動作制御手段である。本実施例における動作制御手段２４は、単にＵＰＳ３Ａ〜３Ｃの動作を制御するだけでなく、同じＵＰＳ総合管理手段７を介して、ＵＰＳ３Ａ〜３Ｃに従属する各ユーザ機器４Ａ〜４Ｄの動作を制御できる点が注目される。すなわち、携帯電話１５側から見れば、システム本体９にアクセスできれば、ＵＰＳ３Ａ〜３Ｃのみならず各ユーザ機器４Ａ〜４Ｄの復旧動作を連続して行なえるという利点がある。
【００１８】
また、特に図示しないが、ＵＰＳ総合管理手段７を備えたユーザ機器４Ｃは、インターネット上で公開されるウェブサイトへの接続および閲覧（ブラウジング）機能や、電子メールの送受信機能も当然備えている。
【００１９】
図３は、携帯電話１５の構成を示すもので、３１は携帯基地局１４から送受信部３７を通じて送られた暗号化データを解読し、表示部３２に異常情報を表示する異常情報表示制御手段である。なお、受信した異常情報を後で閲覧できるように、この異常情報を保存する読み出し可能な記憶媒体（図示せず）を備えてもよい。また３４は、操作部１６からの入力に基づいて、ＵＰＳ３Ａ〜３Ｃやユーザ機器４Ａ〜４Ｄに対する適切な動作手順を指令データとして作成する指令データ作成手段である。この指令データ作成手段３４からの指令データは、データ変換手段３５によりバイナリフォーマットをテキストフォーマットに変換し、さらにＳＳＬ暗号化手段３６により暗号化されたパケットデータに変換されて、送受信部３７より最寄の携帯基地局１４に送出される。そして、上述の異常情報表示制御手段３１，指令データ作成手段３４，データ変換手段３５，ＳＳＬ暗号化手段３６は、ソフトウェア上の機能として制御手段３８にそれぞれ設けられる。この制御手段３８はその他に、電話機能や電子メール機能を動作させるための各種プログラム（図示しない）や、各種データベースを記録および保管する機能を備えている。
【００２０】
また、特に図示しないが、携帯電話１５は、インターネット上で公開されるウェブサイトへの接続および閲覧（ブラウジング）機能や、電子メールの送受信機能も当然備えている。
【００２１】
次に、上記構成についてその作用を図４のフローチャートに基づき説明する。なお図４のフローチャートは、ＵＰＳ統合管理手段７の動作手順を示すものである。先ずステップＳ１において、ＵＰＳ統合管理手段７の異常監視手段２０は、それぞれのＵＰＳ３Ａ〜３Ｃの各部の状態、具体的には商用電源１から供給される入力電圧，ユーザ機器４Ａ〜４Ｄに供給する出力電圧および出力電流，充電器単独の充電電圧，充電器への供給電流などを、それぞれの電流検出器または電圧検出器からの検出出力により、一定時間毎に取得する。なお、検出出力の取り込み時間は、適宜設定変更できるようにしてもよい。このＵＰＳ３Ａ〜３Ｃの各部の状態は、図示しない記憶手段によって管理履歴として記憶保存される（ステップＳ１）。
【００２２】
また異常監視手段２０は、上記ステップＳ１の手順で、ユーザ機器４Ａ〜４Ｄの状態を監視してもよい。例えばユーザ機器４Ａ〜４ＤがＰＣである場合、例えば起動しているアプリケーション名とその作業状態，ＵＰＳ３Ａ〜３Ｃから供給される電源電圧の状態などを一定時間毎に取得する。また、ＰＣ以外の機器であれば、同様にその時点での動作状況と電源電圧の状態などを取得する。なお、監視対象が多数ある場合は、ＵＰＳ３Ａ〜３Ｃだけの状態監視に止め、異常監視手段２０の負担を軽減するのが好ましい。
【００２３】
異常監視手段２０は、次のステップＳ３において、ＵＰＳ３Ａ〜３Ｃの監視箇所に若干の状態の変化が生じると、具体的には、上記電流値および電圧値のいずれかが、個々に設定した第１の閾値ＴＨ１の範囲外になると、ユーザ機器４Ａ〜４Ｄの状態の監視を開始して、異常の発生に備える（ステップＳ４）。第１の閾値ＴＨ１は、その範囲外になると各ユーザ機器４Ａ〜４Ｄの動作にはさほど影響がないものの、いずれは異常が発生すると想定される値を設定する。またこの場合は、異常監視手段２０は自身の負担を軽減するために、同一の電源ユニット群内のユーザ機器４Ａ〜４Ｄだけを監視する。例えば、ＵＰＳ３Ａの出力電圧が第１の閾値ＴＨ１の範囲外になった場合は、それに従属するユーザ機器４Ａ，４Ｂの状態だけを監視すればよい。
【００２４】
異常監視手段２０は、次のステップＳ５において、例えば前記ＵＰＳ３Ａの出力電圧が第１の閾値ＴＨ１よりも広い範囲に設定した第２の閾値ＴＨ２以内であれば、ステップＳ１の手順に戻って、各ＵＰＳ３Ａ〜３Ｃ並びに特定のユーザ機器４Ａ，４Ｂの状態監視結果を、記憶手段に管理履歴として記録し続ける。しかし、ＵＰＳ３Ａ〜３Ｃの監視箇所に相当の状態の変化が生じ、上記電流値および電圧値のいずれかが、個々に設定した第２の閾値ＴＨ２の範囲外にまで変動すると、異常監視手段２０は直ちにデータセンタ１３に電子メールの形態で送出する異常情報を作成する。具体的には、例えばＵＰＳ３Ａの出力電圧が第２の閾値ＴＨ２の範囲を超えると、異常監視手段２０はその直前までの全てのＵＰＳ３Ａ〜３Ｃ、およびＵＰＳ３Ａに従属するユーザ機器４Ａ，４Ｂの管理履歴を読み込むと共に、現時点における全てのＵＰＳ３Ａ〜３Ｃ、および全てのユーザ機器４Ａ〜４Ｄの状態を読み込んで、どの箇所で異常が発生したのかを特定する。この場合、ＵＰＳ３Ａの出力電圧と、従属するユーザ機器４Ａ，４Ｂの電源電圧が同じように低下していれば、異常箇所はＵＰＳ３Ａ内の主回路であると特定できる。また別な例として、ＵＰＳ３Ａ〜３Ｃの入力電圧がいずれも同じように低下している場合、異常個所はシステム本体９外の商用電源１（停電が原因）であると特定できる。なお、第２の閾値ＴＨ２は、その範囲外になると各ユーザ機器４Ａ〜４Ｄの動作停止には至らないものの、相当の影響を及ぼすとされる値を設定する。
【００２５】
次のステップＳ６で、異常監視手段２０が、この異常箇所と共に、直前の管理履歴などを含めた異常情報を送出すると、データ変換手段２１はこの異常情報をパケットデータに変換し、次のＳＳＬ暗号化手段２２で暗号化処理が施された後、通信ユニット１１を介してＩＰ網１２に送出される。異常情報はＩＰ網１２を通過するものの、データそのものに暗号化処理がなされているために、第３者の不正な書き換えを防止できる。異常情報のデータが電子メールの形態でデータセンタ１３に到達すると、データセンタ１３から携帯電話１５に新着メールの通知が行なわれる。これを受けて、管理者がデータセンター１３から携帯電話１５に異常情報をダウンロードし、これを表示部３２で表示することで、システム本体９のどの箇所（システム本体９外部を含む）で異常が発生し、またどのような経緯で異常に至ったのかを正確に把握できる。
【００２６】
遠隔地にいる管理者は、上記異常情報の内容を受け取ると、直ちに携帯電話１５を利用してしかるべき処置を実行するための指令を操作部１６より入力する。携帯電話１５の指令データ作成手段３４は、操作部１６からの操作入力に従って、どのような手順で処置を行なうのかについての一連の指令データを作成する。この指令データはデータ変換手段３５によりパケットデータに変換され、次のＳＳＬ暗号化手段２２で暗号化処理が施された後、送受信部３７から携帯基地局１４に送出される。指令データはＩＰ網１２を通過してシステム本体９に転送されるものの、データそのものに暗号化処理がなされているために、第３者の不正な書き換えを防止できる。ＵＰＳ統合管理手段７の動作制御手段２４は、この指令データを通信ユニット１１から受け取ると、指令データにある所定の手順に従ってＵＰＳ３Ａ〜３Ｃ若しくはユーザ機器４Ａ〜４Ｄの動作制御を行なう（ステップＳ７）。
【００２７】
前記指令データは、システム本体９の要処置箇所を特定する位置特定コマンドと、そこでどのような処理を行なうのかという処理コマンドの組み合わせで構成される。例えば、システム本体１外の商用電源１が停電した場合、その異常情報を受け取った管理者は、ＰＣである例えばユーザ機器４Ａ〜４Ｄに対し、作業中のアプリケーション処理を全て終了した後、電源をオフにする指令を操作部１６より入力する。携帯電話１５の指令データ作成手段３４は、その指令データを作成してシステム本体９のＵＰＳ統合管理手段７に送出する。ＵＰＳ統合管理手段７の動作制御手段２４は、この指令データを受け取ると、直ちに各ユーザ機器４Ａ〜４Ｄで作業中のアプリケーション処理を全て終了させた後、電源をオフにする。
【００２８】
なお本実施例では、異常情報を送出した後も引き続き管理履歴を記録して、前述する指令データが送られる毎に、記録した管理履歴を一定時間毎にデータセンタ１３に送り出している。これにより、必要な処置が行なわれたか否かの判断を、データセンタ１３に送り出した管理履歴を携帯電話１５側でダウンロードすることで、正しく確認することができる。
【００２９】
例えば、システム本体９内における特定のＵＰＳ３Ａの出力電圧だけが異常となった場合、異常情報に含まれる管理履歴から、ＵＰＳ３Ａの充電器に所定の充電電圧と充電電流が供給されていると判明すれば、このＵＰＳ３Ａに対し、商用電源１に代わって充電器からの電力供給を行なう指令データを作成する。これを受けてＵＰＳ統合管理手段７の動作制御手段２４が必要な処置を行なった後、ＵＰＳ３Ａの出力電圧が正常に戻ったことが、一定時間毎に送り出される管理履歴から判明した場合は、例えば商用電源１からの入力電圧で充電器を充電しつつ、充電器からの電力供給で従属するユーザ機器４Ａ，４Ｂを引き続き稼動させ続ける指令データを送出する。場合によっては、ユーザ機器４Ａ，４Ｂを省電力モードにする指令データも続けて送出してよい。逆に、充電器からの電力供給に切り換わっても、ＵＰＳ３Ａの出力電圧が異常の場合は、ユーザ機器４Ａ，４Ｂで作業中のアプリケーション処理を全て終了させた後、電源をオフにする指令データを携帯電話１５側から送出すればよい。
【００３０】
さらに別な例として、異常情報がデータセンター１３に一定時間異常ダウンロードされずに残っていた場合、データセンタが自動的に必要な処置を行なう指令データをシステム本体９に送出する構成としてもよい。こうすれば、万一管理者が異常情報をダウンロードできない状況でも、異常状態の発生したシステム本体９に対し最低限必要な処置を施すことができる。
【００３１】
以上のように本実施例では、電源装置であるＵＰＳ３Ａ〜３Ｃと、このＵＰＳ３Ａ〜３Ｃからの電力供給を受ける負荷としてのユーザ機器４Ａ〜４Ｄを組み合わせた電源ユニット群をネットワーク６で接続して構成され、このネットワーク６を用いて全ての各ＵＰＳ３Ａ〜３Ｃの状態監視を行なう管理手段としてのＵＰＳ統合管理手段７を備えた電源ネットワークシステムにおいて、前記ＵＰＳ統合管理手段７は、ＵＰＳ３Ａ〜３Ｃに異常が発生すると、ネットワーク本体９内外の異常個所を特定する異常情報を、通信手段であるＩＰ網１２を介して予め決められた移動体携帯端末である携帯電話１５に送信する異常監視手段２０と、携帯電話１５から送られる指令データを受信すると、その指令データの手順に従ってＵＰＳ３Ａ〜３Ｃおよびユーザ機器４Ａ〜４Ｄの動作を制御する動作制御手段２４とを備えている。
【００３２】
この場合、何らかの原因でＵＰＳ３Ａ〜３Ｃの何れかまたは全てに異常が発生すると、異常監視手段２４は異常個所を特定する異常情報を、予め決められた携帯電話１５に向けて直ちに送信する。携帯電話１５を所持する管理者は、受信した異常情報からシステム本体９内外のどの箇所で異常が発生しており、それに対してどのような処置を施すべきかを即座に判断できる。また、管理者が携帯電話１５を利用して必要な指令データを送信すると、動作制御手段２４はＵＰＳ３Ａ〜３Ｃのみならずそれに従属するユーザ機器４Ａ〜４Ｄに対する動作を制御することができる。したがって、管理者が遠隔地にいた場合でも、ＵＰＳ３Ａ〜３Ｃおよびユーザ機器４Ａ〜４Ｄに対する処置対応を迅速に行なうことができる。
【００３３】
なお、本発明は上記実施例に限定されるものではなく、種々の変形実施が可能である。例えば、異常監視手段２０が管理履歴として記録する内容として、例えばＵＰＳ３Ａ〜３Ｃから取得される停電や復電などの各種イベント情報や、入力電圧や周波数などの計測値の履歴を含めてもよい。また、ＵＰＳ３Ａ〜３Ｃに対する必要な処置として、既存の自動シャットダウン機能や負荷セグメント制御機能を利用してもよい。さらにＵＰＳのような充電器を備えたものに限らず、充電器を備えていないスイッチング電源装置などを、電源装置として利用してもよい。
【００３４】
【発明の効果】
本発明の電源ネットワークシステムによれば、システムに何らかの異常を来した場合に、遠隔地にいる管理者が電源装置および負荷に対する処置対応を迅速に行なうことができる。
【図面の簡単な説明】
【図１】本実施例における電源ネットワークシステムの一例を示す概略構成図である。
【図２】同上、システム本体の内部機能構成の一例を示すブロック図である。
【図３】同上、携帯電話の内部機能構成の一例を示すブロック図である。
【図４】同上、ＵＰＳ統合管理手段の動作手順を示すフローチャートである。
【図５】従来の電源ネットワークシステムの一例を示す概略構成図である。
【符号の説明】
３Ａ〜３Ｃ  ＵＰＳ（電源装置）
４Ａ〜４Ｄ  ユーザ機器（負荷）
６  ネットワーク
１２  ＩＰ網（通信手段）
１５  携帯電話（移動体携帯端末）
２０  異常監視手段
２４  動作制御手段
【図１】
2004254459.tif 000003
【図２】
2004254459.tif 000004
【図３】
2004254459.tif 000005
【図４】
2004254459.tif 000006
【図５】
2004254459.tif 000007